(57)【特許請求の範囲】
【請求項１】
乗客が着座するシートクッションと、このシートクッションに設けられた背もたれと、シートベルト及び前記シートベルトの端部が係合するバックルと、前記シートクッションの側面に設けられ、前記背もたれの傾き角度を調整する調整機構を操作するアジャスタレバー、前記シートクッションの前後位置を調整する調整機構を操作するアジャスタレバー、及び前記シートクッションの座面の上下位置を調整する調整機構を操作するアジャスタレバーの内の少なくとも1つ以上のアジャスタレバーと、前記シートクッションの側面を覆うサイドフィニッシャーを備えた車両用シートであって、
前記サイドフィニッシャーによって少なくとも1つ以上の前記アジャスタレバーを外側から覆うと共に、前記サイドフィニッシャーの少なくとも前記アジャスタレバーが配置されたアジャスタレバー配置領域付近を、前記サイドフィニッシャーの上側から前記アジャスタレバーの操作ができるように変形可能に構成したことを特徴とする車両用シート。
【請求項２】
請求項１に記載の車両用シートにおいて、
前記サイドフィニッシャーは、少なくとも前記アジャスタレバー配置領域付近は弾性変形する軟質性合成樹脂で作られていると共に、前記アジャスタレバー配置領域付近に変形部と手掛け部よりなるアジャスタ操作部が形成されていることを特徴とする車両用シート。
【請求項３】
請求項２に記載の車両用シートにおいて、
前記サイドフィニッシャーは、全体が弾性変形する軟質性合成樹脂で作られていることを特徴とする車両用シート。
【請求項４】
請求項２に記載の車両用シートにおいて、
前記アジャスタ操作部の前記手掛け部には、肉厚のアジャスタレバー収容部が形成されており、前記アジャスタレバー収容部に前記アジャスタレバーが係合して収容されていることを特徴とする車両用シート。
【請求項５】
請求項２に記載の車両用シートにおいて、
前記アジャスタレバー配置領域付近に形成された前記変形部は、前記サイドフィニッシャーの外表面から前記シートクッションの前記側面に向けて延びる深溝部、或いは蛇腹部から形成されていることを特徴とする車両用シート。
【請求項６】
請求項３に記載の車両用シートにおいて、
前記サイドフィニッシャーは、前記アジャスタレバー配置領域付近は薄肉に形成され、前記アジャスタレバー配置領域付近を除く領域は厚肉に形成されていることを特徴とする車両用シート。
【請求項７】
請求項３に記載の車両用シートにおいて、
前記サイドフィニッシャーは、前記アジャスタレバー配置領域付近は前記軟質性合成樹脂だけで形成され、前記アジャスタレバー配置領域付近を除く領域は強度補強部材を内部に備える前記軟質性合成樹脂で形成されていることを特徴とする車両用シート。
【請求項８】
請求項２に記載の車両用シートにおいて、
前記サイドフィニッシャーは、前記アジャスタレバー配置領域付近は前記軟質性合成樹脂だけで形成され、前記アジャスタレバー配置領域付近を除く領域は硬質性合成樹脂で形成されていることを特徴とする車両用シート。
【請求項９】
請求項１乃至請求項８のいずれか１項に記載の車両用シートにおいて、
前記サイドフィニッシャーによって覆われる前記アジャスタレバーは、前記背もたれの傾き角度を調整する前記アジャスタレバー、前記シートクッションの前後位置を調整する前記アジャスタレバー、及び前記シートクッションの座面の上下位置を調整する前記アジャスタレバーの内の２つ以上の前記アジャスタレバーであることを特徴とする車両用シート。
【発明の詳細な説明】
【技術分野】
【０００１】
本発明は車両等のシートに使用される車両用シートに係り、特にシートの背もたれの角度を調整するアジャスタレバー、シートの前後位置を調整するアジャスタレバー、及びシートの座面の上下位置を調整するアジャスタレバーの内の少なくとも１つ以上のアジャスタレバーと、シートクッションの側面を覆うサイドフィニッシャーを備えた車両用シートに関するものである。
【背景技術】
【０００２】
一般に自動車に代表される車両用シートには、背もたれ（シートバックとも呼ばれており、以下ではシートバックと表記する）の角度を調整するアジャスタレバー等が設けられている。そして、車両用シートのシートクッションの側面は意匠的な観点から硬質の合成樹脂カバー（一般的には、サイドフィニッシャーと呼ばれており、以下サイドフィニッシャーと表記する）で覆われており、この場合、サイドフィニッシャーは車両用シートのシートクッションの側面とアジャスタレバーの間に位置するように配置されている。
【０００３】
このようなアジャスタレバー及びサイドフィニッシャーを備えた車両用シートとしては、例えば、特開２００９-２９２４６３号公報（特許文献１）に記載されている。この特許文献１においては、上述したように、サイドフィニッシャーが車両用シートのシートクッションの側面とアジャスタレバーの間に位置するように配置されている。そして、シートバックの角度を調整する場合は、サイドフィニッシャーから露出しているアジャスタレバーを操作してシートバックの傾き角度を調整するものである。
【先行技術文献】
【特許文献】
【０００４】
【特許文献１】特開２００９-２９２４６３号公報
【発明の概要】
【発明が解決しようとする課題】
【０００５】
そして、特許文献１に記載されているような、サイドフィニッシャーが車両用シートのシートクッションの側面とアジャストレバーの間に位置するように配置されている車両用シートにおいては、以下のような課題を有している。
【０００６】
図９、図１０において、車両用シート１０は、乗客が着座するシートクッション１１と、シートクッション１１の後方に位置して乗客の背中を支えるシートバック１２とから構成されている。シートバック１２はその傾き角度が調整可能な構成とされており、アジャスタレバー１３を操作することで、図示しない調整機構によってシートバック１２の傾き角度が調整されるものである。
【０００７】
また、図１０にアジャスタレバー組立体１３付近を上下方向に断面した断面図を示している。参照番号１４はシートクッション１１の内部に配置したシートフレームであり、このシートフレーム１４の周囲に着座面となる発泡性パッド等が支持されている。
【０００８】
シートクッション１１の側面にはサイドフィニッシャー１５が配置されており、シートクッション１１の側面からシートクッションや機構部品が露出しないように覆っている。ここで、サイドフィニッシャー１５は、薄肉の硬質性合成樹脂から形成されている。
【０００９】
このサイドフィニッシャー１５の外表面側には、所定の隙間Ｇを介して隣接するアジャスタレバー組立体１３が配置されている。このアジャスタレバー組立体１３は、金属のアジャスタレバー１６を合成樹脂からなるアジャスタカバー１７で覆ったものである。アジャスタレバー１６は、サイドフィニッシャー１５に形成した貫通孔を介して調整機構に連結されている。アジャスタカバー１７も硬質の合成樹脂から形成されている。
【００１０】
このような車両用シートにおいては、一般的にシートベルトが装着されており、乗客はシートクッション１１に着座すると、シートベルトを引き出して図示しないバックルにシートベルトの端部を係合することになる。そして、自動車から降車する時は、乗客はシートベルトをバックルから取り外して降車することになる。
【００１１】
ところで上述したように、アジャスタレバー組立体１３とサイドフィニッシャー１５の間の隙間Ｇにシートベルトの一部が干渉して引っ掛かることがあり、ドアを閉じた時にドアと車体の間にシートベルトの一部を挟み込むという現象を生じる。このため、ドアを開いてシートベルトをアジャスタレバー組立体１３から取り外して、再びドアを閉じることが必要であり、使い勝手が悪いという課題があった。
【００１２】
尚、上述したようなシートバックの角度を調整するアジャスタレバー以外にも、車両用シートには、車両用シートの前後位置を調整するアジャスタレバーや車両用シートの座面の上下位置を調整するアジャスタレバーが設けられている。以下の説明では、代表してシートバックの角度を調整するアジャスタレバーについて説明するが、本発明は車両用シートの前後位置を調整するアジャスタレバー、或いは車両用シートの座面の上下位置を調整するアジャスタレバー、或いは両方のアジャスタレバーにも適用可能である。したがって、以下に説明するアジャスタレバーは、シートの前後位置を調整するアジャスタレバーやシートの座面の上下位置を調整するアジャスタレバーと読み替えることができる。
【００１３】
本発明の目的は、アジャスタレバー組立体とサイドフィニッシャーの間の隙間にシートベルトの一部が干渉して引っ掛かることを抑制することができる新規な車両用シートを提供することにある。
【課題を解決するための手段】
【００１４】
本発明の特徴は、サイドフィニッシャーによってアジャスタレバーを外側から覆うと共に、サイドフィニッシャーの少なくともアジャスタレバーが配置されたアジャスタレバー配置領域付近を、サイドフィニッシャーの上側からアジャスタレバーの操作ができるように変形可能に構成した、ところにある。
【発明の効果】
【００１５】
本発明によれば、サイドフィニッシャーによってアジャスタレバーを覆うので、アジャスタレバーとサイドフィニッシャーの間に隙間が生じず、シートベルトの一部が干渉して引っ掛かることが抑制されることになる。また、アジャスタレバー配置領域付近のサイドフィニッシャーが変形できるので、サイドフィニッシャーの上側からアジャスタレバーの操作が可能となり、少なくともシートバックの傾き角度、シートクッションの前後位置、シートクッションの座面の上下位置の１つ以上を容易に調整することができる。
【図面の簡単な説明】
【００１６】
【図１】本発明の実施形態になる車両用シートの全体斜視図である。
【図２】図１に示すサイドフィニッシャー付近の側面図である。
【図３】図２に示す第１の実施形態になるアジャスタレバー配置領域付近の上下方向のＡ−Ａ断面を示す断面図である。
【図４】本発明の第２の実施形態になるアジャスタレバー配置領域付近の上下方向の断面を示す断面図である。
【図５】本発明の第３の実施形態になるサイドフィニッシャーの上下方向の断面を示す断面図である。
【図６】本発明の第４の実施形態になるサイドフィニッシャーの上下方向の断面を示す断面図である。
【図７】本発明の第５の実施形態になるサイドフィニッシャー付近の側面図である。
【図８】図７に示す第５の実施形態になるアジャスタレバー配置領域付近の上下方向のＢ−Ｂ断面を示す断面図である。
【図９】従来の車両用シートの全体斜視図である。
【図１０】図９に示すサイドフィニッシャー付近の上下方向の断面を示す断面図である。
【発明を実施するための形態】
【００１７】
本発明の実施形態について図面を用いて詳細に説明するが、本発明は以下の実施形態に限定されることなく、本発明の技術的な概念の中で種々の変形例や応用例をもその範囲に含むものである。
【実施例１】
【００１８】
図１、図２において、本実施形態になる車両用シート２０は、乗客が着座するシートクッション２１と、シートクッション２１の後方に位置して乗客の背中を支えるシートバック２２とから構成されている。シートバック２２はその傾き角度が調整可能な構成とされており、アジャスタレバー２３を操作することで、図示しない調整機構によってシートバック２２の傾き角度が調整されるものである。ここで、図２においては、アジャスタレバー２３はサイドフィニッシャー２４によって外側から覆われており、外部から見えないので破線で表示している。
【００１９】
サイドフィニッシャー２４には、アジャスタレバー２３のアジャスタレバー配置領域付近に、アジャスタ操作部２５が設けられており、アジャスタ操作部２５は、「変形部」としての深溝部２６と手掛け部２７から形成されている。「変形部」はサイドフィニッシャー２４の手掛け部２７の変形を容易にして、アジャスタレバー２３の操作を容易にする機能を備えているものである。
【００２０】
また、ここで、「アジャスタレバー配置領域付近」とは、アジャスタ操作部２５が設けられる領域付近を意味しており、少なくともアジャスタ操作部２５を含む領域であり、例えば、図２の破線で囲まれている領域とすることができる。
【００２１】
そして、深溝部２６は、サイドフィニッシャー２４の外表面からシートクッション２１の側面側（内側）に向けて延びるように形成されている。また、この深溝部２６の長手方向の中央付近に手掛け部２７が形成され、乗客の手指が挿入できる程度に拡開されている。また、手掛け部２７に隣接した上側部分にはアジャスタレバー２３が配置されており、手掛け部２７に乗客が手指を挿入してアジャスタレバー２３を操作することができるようになっている。
【００２２】
サイドフィニッシャー２４は、全体に亘って弾性変形が可能な軟質性の合成樹脂から作られており、乗客が手掛け部２７を移動させると、深溝部２６が変形してアジャスタレバー２３を操作できるようになっている。尚、深溝部２６は、アジャスタ操作部２５によってアジャスタレバー２３を操作する時に、アジャスタ操作部２５以外のサイドフィニッシャー２４の全体が変形しないようにするために設けられている。
【００２３】
弾性変形する軟質性の合成樹脂としては、エラストマー材料が良く知られており、例えばシリコンゴム等を使用することができる。もちろんシリコンゴムに限ることなく、シリコンゴム以外のエラストマー材料を使用しても良いことはいうまでもない。要は、乗客の操作によってアジャスタレバー２３を操作できる程度に弾性変形することができる機能を備えていれば良いものである。以下では、サイドフィニッシャー２４の材料として「軟質性合成樹脂」と表記する。
【００２４】
このように、本実施形態では、サイドフィニッシャー２４によってアジャスタレバー２３を外側から覆うと共に、サイドフィニッシャー２４の少なくともアジャスタレバー配置領域付近に、アジャスタレバー２３の操作ができるように変形可能なアジャスタ操作部２５を設けた構成としている。
【００２５】
これによれば、従来の車両用シートで課題となっている、サイドフィニッシャーの外側に配置したアジャスタレバーとサイドフィニッシャーの間の隙間に、シートベルトの一部が干渉して引っ掛かり、ドアを閉じた時にドアと車体の間にシートベルトの一部を挟み込むという現象を抑制でき、使い勝手を改善できるようになる。
【００２６】
また、これ以外に本実施形態では、サイドフィニッシャー２４によってアジャスタレバー２３を外側から覆う構成としているので、従来のようにサイドフィニッシャー２４の外側に配置したアジャスタレバーとサイドフィニッシャーの間の隙間に、異物等が挟み込まれてアジャスタレバーが操作できない、という課題にも対応できるようになるものである。
【００２７】
次に、図２のアジャスタレバー配置領域付近の上下方向の断面（Ａ−Ａ断面）の構成について図３を用いて説明する。
【００２８】
図３において、参照番号２８はシートクッション２１の内部に配置したシートフレームであり、このシートフレーム２８の周囲に着座面となる発泡性パッド等が支持されている。シートクッション２１の側面にはサイドフィニッシャー２４が配置されており、シートクッション２１の側面からシートクッション２１や機構部品が露出しないように覆っている。
【００２９】
サイドフィニッシャー２４のアジャスタレバー２３が位置するアジャスタレバー配置領域付近には、アジャスタ操作部２５が設けられており、上述したようにアジャスタ操作部２５は、深溝部２６と手掛け部２７から形成されている。深溝部２６は、サイドフィニッシャー２４の外表面からシートフレーム２８側に向かって凹んでおり、図２にある通り、深溝部２６はサイドフィニッシャー２４の上端面から下端面まで横切るように形成されている。
【００３０】
また、この深溝部２６の長手方向の中央付近に手掛け部２７が形成され、乗客の手指が挿入できる程度に拡開されている。手掛け部２７の上側には隣接してアジャスタレバー収容部２９が一体的に形成されており、このアジャスタレバー収容部２９にアジャスタレバー２３が係合されている。この場合、アジャスタレバー収容部２９は肉厚部として形成されており、アジャスタレバー２３をアジャスタレバー収容部２９に挿入してやれば簡単に係合することができる。
【００３１】
このように、アジャスタレバー２３を手掛け部２７の上側のアジャスタレバー収容部２９に係合することによって、手掛け部２７を操作することで速やかにアジャスタレバー２３を動かすことができる。また、アジャスタレバー２３が肉厚のアジャスタレバー収容部２９に収容されているため、アジャスタレバー２３の角部等が乗客の手指に強く当たることがないので、手掛け部２７の操作がやり易い効果がある。
【００３２】
更に、アジャスタレバー２３がサイドフィニッシャー２４に直接的に係合されているため、従来の図１０に示すようなアジャスタカバーが不要となり、製品コストを低減できる効果がある。
【００３３】
以上述べた通り、本実施形態によれば、サイドフィニッシャー２４によってアジャスタレバー２３を外側から覆うと共に、サイドフィニッシャー２４の少なくともアジャスタレバー配置領域付近に、アジャスタレバー２３の操作ができるように変形可能なアジャスタ操作部を設ける構成とした。
【００３４】
これによれば、サイドフィニッシャー２４によってアジャスタレバー２３を覆うので、アジャスタレバー２３とサイドフィニッシャー２４の間の隙間に、シートベルトの一部が干渉して引っ掛かることが抑制される。また、アジャスタレバー配置領域付近のサイドフィニッシャー２４が変形できるので、アジャスタレバー２３の操作が可能となり、シートバックの傾き角度を容易に調整することができる。
【００３５】
尚、シートバックの角度を調整するアジャスタレバー２３以外にも、車両用シートには、車両用シートのシートクッションの前後位置を調整するアジャスタレバーやシートクッションの座面の上下位置を調整するアジャスタレバーが設けられている。そして、シートクッション２１の前後位置を調整するアジャスタレバーやシートクッション２１の座面の上下位置を調整するアジャスタレバーを操作することで、図示しない調整機構によってシートクッション２１の前後位置や座面の上下位置が調整されるものである。したがって、シートクッション２１の前後位置やシートクッション２１の座面の上下位置を調整するアジャスタレバーを、必要に応じて上述した構成に換えてやれば、本実施形態と同様の作用、効果を得ることができる。
【００３６】
また、シートバックの角度を調整するアジャスタレバー２３と、シートクッションの前後位置を調整するアジャスタレバー、シートクッションの座面の上下位置を調整するアジャスタレバーの２つ以上（全てを含む）をサイドフィニッシャーによって外側から覆うと共に、これらのアジャスタレバーが配置されたサイドフィニッシャーのアジャスタレバー配置領域付近を、サイドフィニッシャーの上側からこれらのアジャスタレバーの操作ができるように変形可能に構成することも可能である。これによっても本実施形態と同様の作用、効果を得ることができる。
【実施例２】
【００３７】
次に、本発明の第２の実施形態について説明する。第１の実施形態では「変形部」として深溝部２６が形成されていたが、本実施形態では深溝部２６の代わりに蛇腹部３０を形成したものである。尚、実施例１と同様の効果については説明を省略する。
【００３８】
図４において、サイドフィニッシャー２４には、アジャスタレバー配置領域付近にアジャスタ操作部２５が設けられており、アジャスタ操作部２５は、「変形部」としての蛇腹部３０と手掛け部２７から形成されている。実施例１と同様に「変形部」は、サイドフィニッシャー２４の手掛け部２７の変形を容易にして、アジャスタレバー２３の操作を容易にする機能を備えているものである。
【００３９】
そして、蛇腹部３０は、サイドフィニッシャー２４の外表面からシートクッション２１の側面側（内側）に向けて延びるように形成されている。また、実施例１と同様に蛇腹部３０の長手方向の中央付近に手掛け部２７が形成され、乗客の手指が挿入できる程度に拡開されている。また、手掛け部２７の上側には隣接してアジャスタレバー収容部２９が一体的に形成されており、このアジャスタレバー収容部２９にアジャスタレバー２３が係合されている。そして、手掛け部２７に乗客が手指を挿入してアジャスタレバー２３を操作することができるようになっている。
【００４０】
本実施形態のように、「変形部」に蛇腹部３０を形成すると、屈曲数が多くなるので変形量を大きくでき、手掛け部２７によるアジャスタレバー２３の操作がやり易くなる効果を期待できる。
【実施例３】
【００４１】
次に、本発明の第３の実施形態について説明する。第１の実施形態及び第２の実施形態では、サイドフィニッシャー２４は、全体に亘って弾性変形する軟質性合成樹脂で作られ、ほぼ均一の厚さで強度もほぼ同じに作られている。しかしながら、アジャスタ操作部２５の手掛け部２７を操作した時に、アジャスタ操作部２５以外の領域のサイドフィニッシャー２４が変形して、全体としてサイドフィニッシャー２４に変形を生じるという恐れがある。そこで、本実施形態では、アジャスタレバー配置領域付近、或いはアジャスタ操作部２５を除く領域の形状安定性を向上することを提案している。
【００４２】
図５において、サイドフィニッシャー２４のアジャスタレバー収容部２９を除くアジャスタ操作部２５は薄肉部２４Ａとされ、アジャスタレバー配置領域付近、或いはアジャスタ操作部２５を除くサイドフィニッシャー２４は厚肉部２４Ｂとされている。したがって、アジャスタ操作部２５の手掛け部２７を操作した時に、サイドフィニッシャー２４の「変形部」である深溝２６を含む薄肉部２４Ａは容易に変形するが、厚肉部２４Ｂは厚みが厚いので容易に変形せず、サイドフィニッシャー２４を初期の形状に維持することができる。このように、本実施形態ではアジャスタレバー配置領域付近、或いはアジャスタ操作部２５を除く領域の形状安定性を向上することができ、意匠上の観点から優れたサイドフィニッシャー２４とすることができる。
【実施例４】
【００４３】
次に、本発明の第４の実施形態について説明する。本実施形態は実施例３と同様に、アジャスタレバー配置領域付近、或いはアジャスタ操作部２５を除く領域の形状安定性を向上することを提案している。
【００４４】
図６において、サイドフィニッシャー２４のアジャスタレバー収容部２９を除くアジャスタレバー配置領域付近、或いはアジャスタ操作部２５は、実施例１と同様の厚さを備えている。しかしながら、アジャスタレバー配置領域付近、或いはアジャスタ操作部２５を除く領域のサイドフィニッシャー２４は、内部にメッシュ状の金属から構成された強度補強部材３１がインサートモールドされている。このため、この強度補強部材３１がモールドされた領域は、他の領域に比べて変形し辛いものとなっている。
【００４５】
したがって、アジャスタ操作部２５の手掛け部２７を操作した時に、サイドフィニッシャー２４の「変形部」である深溝２６は容易に変形するが、強度補強部材３１がモールドされた領域は容易に変形せず、サイドフィニッシャー２４の形状を初期の形状に維持することができる。このように、本実施形態でもアジャスタ操作部２５以外の領域の形状安定性を向上することができ、意匠上の観点から優れたサイドフィニッシャー２４とすることができる。
【実施例５】
【００４６】
次に、本発明の第５の実施形態について説明する。本実施形態は実施例３と同様に、アジャスタレバー配置領域付近、或いはアジャスタ操作部２５を除く領域の形状安定性を向上することを提案している。
【００４７】
図７、図８において、サイドフィニッシャー２４のアジャスタ操作部２５を含む所定の軟質領域２４Ｓは軟質性合成樹脂で形成され、アジャスタ操作部２５を含む所定の軟質領域２４Ｓを除くサイドフィニッシャー２４の硬質領域２４Ｈは硬質性合成樹脂で作られている。このため、硬質領域２４Ｈは軟質領域２４Ｓに比べて変形し辛いものとなっている。
【００４８】
したがって、アジャスタ操作部２５の手掛け部２７を操作した時に、サイドフィニッシャー２４の軟質領域２４Ｓの「変形部」である深溝２６は容易に変形するが、硬質領域２４Ｈは容易に変形せず、サイドフィニッシャー２４の形状を初期の形状に維持することができる。このように、本実施形態でもアジャスタ操作部２５以外の領域の形状安定性を向上することができ、意匠上の観点から優れたサイドフィニッシャー２４とすることができる。
【００４９】
本実施形態ではシートバックの角度を調整するアジャスタレバーについて説明したが、シートバックの角度を調整するアジャスタレバー以外にも、車両用シートのシートクッションの前後位置を調整するアジャスタレバー、或いはシートクッションの座面の上下位置を調整するアジャスタレバー、或いは両方のアジャスタレバーにも適用可能である。更には、記載はしていないが、シートバックに配置され、腰椎を支えることで腰の負担を軽減するランバーサポート等のアジャスタレバーにも適用することが可能である。
【００５０】
以上述べた通り、本発明によれば、サイドフィニッシャーによってアジャスタレバーを外側から覆うと共に、サイドフィニッシャーの少なくともアジャスタレバー配置領域付近を、サイドフィニッシャーの上側からアジャスタレバーの操作ができるように変形可能に構成した。
【００５１】
これによれば、サイドフィニッシャーによってアジャスタレバーを覆うので、アジャスタレバーとサイドフィニッシャーの間の隙間にシートベルトの一部が干渉して引っ掛かることが抑制される。また、アジャスタレバー付近のサイドフィニッシャーが変形できるので、サイドフィニッシャーの上側からアジャスタレバーの操作が可能となり、シートバックの傾き角度を容易に調整することができる。
【００５２】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００５３】
２０…車両用シート、２１…シートクッション、２２…シートバック、２３…アジャスタレバー、２４…サイドフィニッシャー、２４Ａ…薄肉部、２４Ｂ…厚肉部、２５…アジャスタ操作部、２６…深溝部、２７…手掛け部、２８…シートフレーム、２９…アジャスタレバー収容部、３０…蛇腹部。
【図１】
0006609223.tif 000002
【図２】
0006609223.tif 000003
【図３】
0006609223.tif 000004
【図４】
0006609223.tif 000005
【図５】
0006609223.tif 000006
【図６】
0006609223.tif 000007
【図７】
0006609223.tif 000008
【図８】
0006609223.tif 000009
【図９】
0006609223.tif 000010
【図１０】
0006609223.tif 000011